(57)【特許請求の範囲】
【請求項１】
カメラ本体に取付けられ、開度が電子的に制御可能な絞りを有する撮影レンズと、
前記カメラ本体に設けられ、前記撮影レンズを介して得られた被写体像を観察するためのファインダと、
前記撮影レンズを介して測光を行ない、測光データを検出する測光データ検出手段と、
前記絞りの開度を電子的に制御して、全開状態よりも小さい所定値まで変化させる電子プレビュー実行手段と、
前記電子プレビュー実行手段によって前記絞りが制御されるとき、前記電子プレビュー実行手段による制御の前に検出された前記測光データに基いて、写真撮影の露出に関する撮影制御データを前記ファインダ内に表示する撮影制御データ表示手段とを備え、
前記撮影レンズが、前記絞りの開度が前記測光データに基いて自動的に制御されるレンズオートモードと、前記絞りの開度が絞り環を回動することにより調整されるレンズマニュアルモードとにおいて使用可能であり、
前記電子プレビュー実行手段の実行時に前記レンズオートモードが設定され、かつ前記電子プレビュー実行手段の起動前においても前記レンズオートモードが設定されているとき、前記撮影制御データ表示手段は、前記電子プレビュー実行手段の起動の直前の撮影制御データを表示し、前記電子プレビュー実行手段の実行時に前記レンズオートモードが設定され、かつ前記電子プレビュー実行手段の起動前において前記レンズマニュアルモードが設定されているとき、前記撮影制御データ表示手段は、最小絞りに相当する撮影制御データを表示する
ことを特徴とするファインダ内表示装置。
【請求項２】
前記撮影制御データがＦ値であることを特徴とする請求項１に記載のファインダ内表示装置。
【請求項３】
前記撮影制御データがシャッタスピードであることを特徴とする請求項１に記載のファインダ内表示装置。
【請求項４】
カメラ本体に取付けられ、開度が電子的に制御可能な絞りを有する撮影レンズと、
前記カメラ本体に設けられ、前記撮影レンズを介して得られた被写体像を観察するためのファインダと、
前記撮影レンズを介して測光を行ない、測光データを検出する測光データ検出手段と、
前記絞りの開度を電子的に制御して、全開状態よりも小さい所定値まで変化させる電子プレビュー実行手段と、
前記電子プレビュー実行手段によって前記絞りが制御されるとき、前記電子プレビュー実行手段による制御の前に検出された前記測光データに基いて、写真撮影の露出に関する撮影制御データを前記ファインダ内に表示する撮影制御データ表示手段とを備え、
前記撮影レンズが、前記絞りの開度が前記測光データに基いて自動的に制御されるレンズオートモードと、前記絞りの開度が絞り環を回動することにより調整されるレンズマニュアルモードとにおいて使用可能であり、
前記電子プレビュー実行手段の実行時に前記レンズマニュアルモードが設定され、かつ前記電子プレビュー実行手段の起動前においても前記レンズマニュアルモードが設定されているとき、前記撮影制御データ表示手段は、前記絞り環の回動によって選択されている絞値に対応した撮影制御データを表示し、
前記電子プレビュー実行手段の実行時に前記レンズマニュアルモードが設定され、かつ前記電子プレビュー実行手段の起動前において前記レンズオートモードが設定されているとき、前記撮影制御データ表示手段は、前記絞り環が前記電子プレビュー実行手段の起動前よりも絞り開放側に定められている場合、前記絞り環によって選択されている絞り値に対応した撮影制御データを表示し、前記絞り環が前記電子プレビュー実行手段の起動前よりも絞り込み側に定められている場合、前記電子プレビュー実行手段の起動前のＦ値に対応した撮影制御データを表示する
ことを特徴とするファインダ内表示装置。
【請求項５】
カメラ本体に取付けられ、開度が電子的に制御可能な絞りを有する撮影レンズと、
前記カメラ本体に設けられ、前記撮影レンズを介して得られた被写体像を観察するためのファインダと、
前記撮影レンズを介して測光を行ない、測光データを検出する測光データ検出手段と、
前記絞りの開度を電子的に制御して、全開状態よりも小さい所定値まで変化させる電子プレビュー実行手段と、
前記電子プレビュー実行手段によって前記絞りが制御されるとき、前記電子プレビュー実行手段による制御の前に検出された前記測光データに基いて、写真撮影の露出に関する撮影制御データを前記ファインダ内に表示する撮影制御データ表示手段とを備え、
前記撮影レンズが、前記絞りの開度が前記測光データに基いて自動的に制御されるレンズオートモードと、前記絞りの開度が絞り環を回動することにより調整されるレンズマニュアルモードとにおいて使用可能であり、
前記電子プレビュー実行手段の実行時に前記レンズマニュアルモードが設定され、かつ前記電子プレビュー実行手段の起動前において前記レンズオートモードが設定されている場合、前記撮影制御データ表示手段は、前記絞り環が前記電子プレビュー実行手段の起動前よりも絞り開放側に定められているとき、前記絞り環によって選択されている絞り値に対応した撮影制御データを表示し、前記絞り環が前記電子プレビュー実行手段の起動前よりも絞り込み側に定められているとき、前記電子プレビュー実行手段の起動前のＦ値に対応した撮影制御データを表示する
ことを特徴とするファインダ内表示装置。
【発明の詳細な説明】
【０００１】
【発明の属する技術分野】
本発明は、一眼レフカメラにおいてファインダに絞り値等を表示するファインダ内表示装置に関する。
【０００２】
【従来の技術】
絞りを全開に定めて行なう開放測光では、ファインダを介して観察される画像の被写界深度は、撮影によってフィルムに記録される画像とは異なる。そこで従来、シャッタ動作の前に被写界深度等をファインダによって確認するために、絞りを電子的に制御して撮影状態の大きさまで絞り込む、電子プレビューを行なうことができるカメラが提案されている。
【０００３】
【発明が解決しようとする課題】
電子プレビューにおいて測光を行なうと、測光センサの受光量は絞りのために被写体像からの反射光に対して相対的に少なめになる。したがって電子プレビューにおける測光によると、絞りを全開状態に定めて行なわれた測光とは異なる絞り値が得られ、この絞り値は実際の撮影では使用されない。このため従来のカメラでは、電子プレビュー実行中、絞り値とシャッタスピードは表示せず、ファインダ内では被写体像のみが表示されていたので、絞り値等を確認することができなかった。
本発明は、電子プレビューの実行中にもＦ値等の撮影制御データをファインダ内において確認することができるファインダ内表示装置を提供することを目的としている。
【０００４】
【課題を解決するための手段】
本発明のファインダ内表示装置は、カメラ本体に取付けられ、開度が電子的に制御可能な絞りを有する撮影レンズと、カメラ本体に設けられ、撮影レンズを介して得られた被写体像を観察するためのファインダと、撮影レンズを介して測光を行ない、測光データを検出する測光データ検出手段と、絞りの開度を電子的に制御して、全開状態よりも小さい所定値まで変化させる電子プレビュー実行手段と、電子プレビュー実行手段によって絞りが制御されるとき、電子プレビュー実行手段による制御の前に検出された測光データに基いて、写真撮影の露出に関する撮影制御データをファインダ内に表示する撮影制御データ表示手段とを備えたことを特徴としている。
【０００５】
撮影制御データは、例えばＦ値であり、またシャッタスピードであってもよい。
【０００６】
撮影レンズは、絞りの開度が測光データに基いて自動的に制御されるレンズオートモードと、絞りの開度が絞り環を回動することにより調整されるレンズマニュアルモードとにおいて使用可能であることが好ましい。
【０００７】
この場合、電子プレビュー実行手段の起動の前後において、レンズオートモードが維持されているとき、撮影制御データ表示手段は、電子プレビュー実行手段の起動の直前の撮影制御データを表示する。これに対し、電子プレビュー実行手段の起動前においてレンズマニュアルモードが設定され、かつ電子プレビュー実行手段の実行時にレンズオートモードが設定されたとき、撮影制御データ表示手段は、最小絞りに相当する撮影制御データを表示する。
【０００８】
また、電子プレビュー実行手段の起動の前後において、レンズマニュアルモードが維持されているとき、撮影制御データ表示手段は、絞り環の回動によって選択されている絞値に対応した撮影制御データを表示する。
【０００９】
電子プレビュー実行手段の起動前においてレンズオートモードが設定され、かつ電子プレビュー実行手段の実行時にレンズマニュアルモードが設定されたとき、撮影制御データ表示手段は、絞り環が電子プレビュー実行手段の起動前よりも絞り開放側に定められているとき、絞り環によって選択されている絞り値に対応した撮影制御データを表示する。また、電子プレビュー実行手段の起動前においてレンズオートモードが設定され、かつ電子プレビュー実行手段の実行時にレンズマニュアルモードが設定されたとき、撮影制御データ表示手段は、絞り環が電子プレビュー実行手段の起動前よりも絞り込み側に定められているとき、電子プレビュー実行手段の起動前のＦ値に対応した撮影制御データを表示する。
【００１０】
【発明の実施の形態】
以下、本発明の実施の形態を図面を参照して説明する。
図１は本発明の一実施形態であるファインダ内表示装置を備えた一眼レフカメラのカメラ本体の正面図である。
【００１１】
カメラ本体１０の上面にはシャッタボタン１１が設けられ、シャッタボタン１１の外周にはメインスイッチ１２が設けられている。メインスイッチ１２はシャッタボタン１１に対して回動自在であり、その回転位置に応じてこのカメラの電源のオンオフ状態が切換えられる。シャッタボタン１１の近傍にはシャッタスピードを決定するためのシャッタダイヤル１３が配設されている。またカメラ本体１０の上面の中央には、撮影レンズを介して得られた被写体像を観察するためのファインダ１４が設けられ、ファインダ１４を挟んでシャッタボタン１１とは反対側には、露出補正ダイヤル１５が設けられている。カメラ本体１０の前面には図示しない交換レンズを取付けるためのレンズマウント１６が設けられ、レンズマウント１６の側方にはプレビューボタン１７が設けられている。
【００１２】
図２は、図１に示されるカメラ本体１０に取付け可能な交換レンズ（撮影レンズ）２０を示す平面図である。レンズ鏡筒２１の中には、絞りと、絞りの開度を調整するための絞り伝達機構とが収容されている。
【００１３】
レンズ鏡筒２１の基部には絞り環２２が回動可能に設けられている。絞り環２２の表面には、「4.5, 8, 11」等の数字と「Ａ」の文字が形成されている。「4.5, 8, 11」等の数字はＦ値を示しており、これらの数字をレンズ鏡筒２１の表面に形成されたマーク２３に合わせることにより、絞り（図示せず）の開度は手動で調整される（レンズマニュアルモード）。また「Ａ」の文字をマーク２３に合わせたとき、絞りの開度は測光データに基いて、カメラ本体１０内に設けられたシステム制御回路（図示せず）の制御により、絞り伝達機構を介して電子的に調整される（レンズオートモード）。
【００１４】
図３はカメラ本体１０内の電気的な構成を示すブロック図である。
システム制御回路３０はマイクロコンピュータを備えている。電源であるバッテリ３１の出力電圧はＤＣ／ＤＣコンバータ３２によって所定の値に調整され、電圧レギュレータ３３によって安定した電圧値に制御される。またバッテリ３１の出力電圧はバッテリチェック回路３４に印加されており、正常値であるか否かがチェックされる。発振子３５はシステム制御回路３０が動作するために必要なクロック信号を出力するものである。
【００１５】
システム制御回路３０は、インターフェース回路３６を介して外部フラッシュ３７と交換レンズ２０に接続されている。すなわち外部フラッシュ３７の発光動作と交換レンズ２０の固有のデータ入力等は、システム制御回路３０によって制御可能である。
【００１６】
クイックリターンミラー（図示せず）の傾斜角を制御するためのミラーモータ４１は、モータドライバ回路４２を介してシステム制御回路３０に接続されている。フィルムの巻上げと巻戻しを行なうフィルムモータ４３は、モータドライバ回路４４を介してシステム制御回路３０に接続されている。交換レンズ２０内に設けられたフォーカシングレンズを駆動して自動焦点調節（ＡＦ）動作を行なうＡＦモータ４５は、モータドライバ回路４６を介してシステム制御回路３０に接続されている。
【００１７】
システム制御回路３０には、ＡＦ用フォトインタラプタ４７とＡＦ用ＣＣＤ４８とシャッタ制御回路４９と絞り制御回路５０が接続されている。ＡＦ用フォトインタラプタ４７により、交換レンズ２０のレンズ繰出し量が検出される。ＡＦ動作時、ＡＦ用ＣＣＤ４８によりデフォーカス量が検出される。シャッタ制御回路４９により、シャッタの先幕と後幕の走行が制御される。絞り制御回路５０は交換レンズ２０内に設けられた絞りの開度を制御するものであり、絞り値を電子的に制御するモード（レンズオートモード）において起動される。
【００１８】
またシステム制御回路３０には、測光回路５１と絞り値検出回路５２と温度センサ５３とファインダ内表示装置５４と照明用発光素子５５と外部表示装置５６とＥＥＰＲＯＭ５７とが接続されている。測光回路５１は測光センサを含み、被写体の明るさを検出する。絞り値検出回路５２は交換レンズ２０に設けられた絞り環２２（図２参照）の回転角度位置（ＡＶＶＲ）を検出するもので、これにより絞り値が検出される。温度センサ５３は、測光データ等の温度による影響を補正するために、測光センサ等の近傍の温度を検出する。ファインダ内表示装置５４は、ファインダ１４（図１参照）内において絞り値等を表示する液晶表示素子である。照明用発光素子５５は、ファインダ内表示装置５４の液晶表示素子を照明するために設けられている。外部表示装置５６はカメラ本体１１の外面に設けられ、カメラの動作モード等が表示される。ＥＥＰＲＯＭ５７には、カメラの動作を制御するための種々のデータが格納される。
【００１９】
システム制御回路３０には、メインスイッチ１２と測光スイッチ６１とレリーズスイッチ６２とプレビュースイッチ６３とシャッタスピードスイッチ６４が接続され、これらのスイッチの開閉によって生じた信号がシステム制御回路３０に入力される。測光スイッチ６１はシャッタボタン１１を半押しすることによってオン状態になる。レリーズスイッチ６２はシャッタボタン１１を全押しすることによってオン状態になる。プレビュースイッチ６３はプレビューボタン１７を押すことによってオン状態になる。シャッタスピードスイッチ６４は、シャッタダイヤル１３の回転角度位置に応じてオンオフする４つのスイッチから成る。すなわち、４つのスイッチのオンオフ状態に応じて、シャッタスピードを示す４ビットの信号が生成される。
【００２０】
またシステム制御回路３０には、測光によって得られたＢｖ値等のデータを格納するためのＲＡＭ６５が設けられる。
【００２１】
図４は、このカメラの動作を制御するメインルーチンのフローチャートである。メインルーチンはシステム制御回路３０において実行され、測光関係のスイッチ、すなわち測光スイッチ６１とレリーズスイッチ６２とプレビュースイッチ６３のいずれかがオン状態に切換えられることによって起動される。
【００２２】
ステップ１０１ではパワーホールドタイマＰＴが「８０」に設定される。パワーホールドタイマＰＴは、レリーズスイッチ６２等がオフ状態に切換えられても一定時間の間、メインルーチンを起動させておくためのタイマである。ステップ１０２では１２５msインターバルタイマがスタートする。ステップ１０３では、各スイッチの状態が読み込まれる。ステップ１０４では、メインスイッチ１２がオフ状態であるか否かが判定される。メインスイッチ１２がオフ状態であるとき、メインルーチンは終了する。これに対してメインスイッチ１２がオン状態であるとき、ステップ１０５以下が実行される。
【００２３】
ステップ１０５ではスイッチ操作処理が行なわれ、ステップ１０３において入力されたスイッチの状態に基いて、演算あるいは制御において実際に用いられる値に変換される。ステップ１０６ではレンズ通信が行なわれ、交換レンズ２０の固有の情報、絞り環２２がレンズオートモードとレンズマニュアルモードのいずれに位置しているかを示す情報等が交換レンズ２０から入力される。
【００２４】
ステップ１０７では測光が行なわれ、測光データであるＢｖ値が検出されるとともにＡ／Ｄ変換される。ステップ１０８ではＢｖ値がシステム制御回路３０内のＲＡＭ６５に格納される。ステップ１０９では、絞り環２２の回転角度位置（ＡＶＶＲ）が検出されるとともにＡ／Ｄ変換され、絞り値が求められる。ステップ１１０では、温度センサ５３によって温度が検出されるとともにＡ／Ｄ変換される。
【００２５】
ステップ１１１では、ステップ１０５、１０６、１０７、１０９、１１０において得られたデータに基いて測光演算が実行され、Ｆ値とシャッタスピードが求められる。ステップ１１２では表示処理が行なわれ、ファインダ１４内の表示装置によってＦ値、すなわち写真撮影の露光に関する撮影制御データが表示される。
【００２６】
ステップ１１３では、レリーズスイッチ６２がオン状態であるか否かが判定される。レリーズスイッチ６２がオン状態であるとき、ステップ１１４が実行されてレリーズ処理が行なわれる。すなわち撮影が行なわれて被写体像がフィルムに記録され、メインルーチンは終了する。
【００２７】
ステップ１１３においてレリーズスイッチ６２がオフ状態であると判定されたとき、ステップ１１５が実行され、プレビュースイッチ６３がオン状態であるか否かが判定される。プレビュースイッチ６３がオン状態であるとき、ステップ１１６が実行されて電子プレビューが行なわれ、メインルーチンは終了する。電子プレビューは、絞りの開度を開放測光に基いて決定された絞り値（すなわち全開状態よりも小さい所定値）にまで変化させた状態で、被写体像をファインダから観察する処理であり、この動作については後述する。
【００２８】
ステップ１１５においてプレビュースイッチ６３がオフ状態であると判定されたとき、ステップ１１７が実行され、ステップ１０２におけるタイマスタートから１２５msが経過したか否かが判定される。１２５msが経過したとき、ステップ１１８へ進み、パワーホールドタイマＰＴが１だけデクリメントされる。ステップ１１９ではパワーホールドタイマＰＴが０であるか否かが判定される。パワーホールドタイマＰＴが０でないとき、ステップ１０３へ戻り、上述した処理が繰り返される。これに対し、ステップ１１９においてパワーホールドタイマＰＴが０であると判定されたとき、メインルーチンは終了する。すなわち、レリーズスイッチ６２とプレビュースイッチ６３がオフ状態に定められても１０秒間（=125ms×80）は、メインルーチンは動作しており、１０秒を経過すると、メインルーチンは終了する。
【００２９】
図５は図４のステップ１１６において実行される電子プレビュー処理ルーチンのフローチャートである。このルーチンは、プレビュースイッチ６３がオン状態である間、実行される。
【００３０】
ステップ２０１ではプレビューオンフラグが１にセットされる。ステップ２０２ではプレビューアップが行なわれ、絞りが、図４のステップ１１１において求められたＦ値に対応した大きさまで絞り込まれる。ステップ２０３では、後述するように、プレビューアップ保持処理が行なわれ、ステップ１１１において実行された測光演算の結果に従って絞りの大きさが変更される。次いで、ステップ２０４においてプレビューダウンが行なわれて絞りが全開状態まで開放され、ステップ２０５においてプレビューオンフラグが０にクリアされた後、このルーチンは終了する。
【００３１】
図６は図５のステップ２０３において実行されるプレビューアップ保持処理ルーチンのフローチャートである。
【００３２】
ステップ３０１では、プレビューアップ保持フラグが１にセットされる。プレビューアップ保持フラグは、ステップ３０３、３０４、３１１〜３１７の処理が実行されている間１に保持され、その処理が終了すると０にクリアされる。ステップ３０２では、１２５msインターバルタイマがスタートする。ステップ３０３では、プレビュースイッチ６３を含めて全てのスイッチの状態を示す信号が入力される。
【００３３】
ステップ３０４では、プレビュースイッチ６３がオン状態に定められているか否かが確認される。プレビュースイッチ６３がオフ状態であるとき、ステップ３０５においてプレビューアップ保持フラグが０にクリアされ、またステップ３０６においてプレビュー１回目フラグが０にクリアされて、このルーチンは終了する。なおプレビュー１回目フラグは、後述するように、プレビュースイッチ６３がオン状態に切換えられたとき、図８のステップ４０２において１にセットされる。
【００３４】
ステップ３０４においてプレビュースイッチ６３がオン状態に定められていることが確認されたとき、ステップ３１１が実行され、スイッチ操作処理が行なわれる。すなわち全てのスイッチの状態が読み込まれ、演算あるいは制御において用いられる値に変換される。ステップ３１２ではレンズ通信が行なわれ、図４のステップ１０６と同様に、交換レンズ２０に関する種々の情報が入力される。ステップ３１３では絞り環２２の回転角度位置（ＡＶＶＲ）が検出されてＡ／Ｄ変換され、絞り値が求められてシステム制御回路３０のＲＡＭ６５に格納される。ステップ３１４では、温度センサ５３によって温度が検出されて、Ａ／Ｄ変換されてＲＡＭ６５に入力される。
【００３５】
ステップ３１５では測光演算が行なわれる。この測光演算は図４のステップ１１１における測光演算とは異なり、ＲＡＭ６５に格納されているＢｖ値と、ステップ３１３において、またはＦ値セット処理ルーチン（図９参照）において求められた絞り値と、ステップ３１４において求められた温度のデータとに基いて、Ｆ値とシャッタスピードが求められる。
【００３６】
ステップ３１６では表示処理が行なわれ、ファインダ１４内の表示装置によってＦ値（撮影制御データ）が被写体像の横に表示される。ステップ３１７では、ステップ３０２においてタイマがスタートしてから１２５msが経過したか否かが判定される。１２５msが経過するとステップ３１７からステップ３０３へ移り、上述した処理が再び実行される。
【００３７】
ステップ３０３、３０４、３１１〜３１７から成るループの実行の間に、ステップ３０４においてプレビュースイッチ６３がオフ状態に切換えられたと判定されると、ステップ３０５、３０６が実行され、このルーチンは終了する。
【００３８】
図７は、図６のステップ３１６においてファインダ１４内に表示される内容の一例を示している。この図に示すように、電子プレビューを使用しない通常のファインダ内表示と同様に、電子プレビュー実施時のファインダ内表示は、被写体像が表示される画像領域Ｒ１と、画像領域Ｒ１の外側に形成され、写真撮影の露出に関する撮影制御データが表示される撮影制御データ表示領域Ｒ２とを有する。図７の例では、撮影制御データ表示領域Ｒ２にはＦ値「１１」が示されている。なお画像領域Ｒ１の中心に示される円形の領域Ｒ３は測距ゾーンである。
【００３９】
図８は、図６のステップ３１１において実行されるプレビュー１回目処理ルーチンのフローチャートである。
【００４０】
ステップ４０１では、プレビュー１回目フラグが１であるか否かが判定される。プレビュー１回目フラグは、プレビュースイッチ６３がオン状態に切換えられてプレビュー１回目処理ルーチンが初めて実行されるとき、ステップ４０２において１に定められ、プレビュースイッチ６３がオフ状態である間は、図６のステップ３０６において０に定められる。したがって、プレビュースイッチ６３がオン状態に切換えられた直後、ステップ４０１ではプレビュー１回目フラグは０であると判定され、ステップ４０２が実行されてプレビュー１回目フラグは１に切換えられる。
【００４１】
ステップ４０３では、電子プレビューが実行される直前、すなわちプレビュースイッチ６３がオン状態に切換えられる直前の露出モードを示すデータがシステム制御回路３０のＲＡＭ６５に格納される。露出モードとしては、例えばプログラムモード、絞り優先モード、シャッタスピード優先モード、マニュアル露出モードがある。ステップ４０４では、図４のステップ１１１において実行された測光演算の結果と、ステップ４０３において格納された露出モードと、交換レンズ２０の開放絞りとに基いて、電子プレビューが実行される直前のＦ値が求められ、ＲＡＭ６５の一時格納領域に格納されてこのルーチンは終了する。
【００４２】
ステップ４０１においてプレビュー１回目フラグが１であると判定されたとき、既にステップ４０３、４０４が実行されてＦ値が求められているので、このルーチンは直ちに終了する。
【００４３】
図９は、図６のステップ３１５の処理の一部として実行されるＦ値セット処理ルーチンのフローチャートである。
【００４４】
ステップ５０１では、電子プレビューが実行される直前の絞り値、すなわち図８のステップ４０４においてＲＡＭ６５の一時格納領域に格納されたＦ値が読み出され、ＲＡＭ６５の所定の作業領域に格納される。ステップ５０２では、絞り環２２が現在「Ａ」の位置に定められているか否か、すなわちレンズオートモードが選択されているか否かが判定される。レンズオートモードが選択されているとき、ステップ５０３が実行され、ＲＡＭ６５に格納されている露出モードのデータが読み出され、電子プレビューが実行される直前の露出モードがレンズオートモードであるか否かが判定される。
【００４５】
電子プレビューが起動される直前の露出モードがレンズオートモードであるとき、すなわちレンズオートモードが電子プレビューの起動の前後において維持されているとき、このルーチンは、ステップ５０４を実行することなく終了する。したがって、その後図６のステップ３１６では、ステップ５０１において格納されたＦ値がファインダ１４内の表示装置によって表示される。すなわち、電子プレビューが実行される直前のＦ値がファインダ内において被写体像の横に表示される。
【００４６】
ステップ５０３において、電子プレビューが実行される直前の露出モードがレンズマニュアルモードであると判定されたとき、すなわち電子プレビューの実行開始の前後においてレンズマニュアルモードからレンズオートモードに切換えられたとき、ステップ５０４が実行される。すなわち、最小絞り値に相当するＦ値がＲＡＭ６５の作業領域に格納され、このルーチンは終了する。したがって、その後、図６のステップ３１６では最小絞り値に相当するＦ値が表示される。
【００４７】
このようにレンズマニュアルモードからレンズオートモードに切換えられた場合、絞り環２２の「Ａ」の文字は最小絞り（図２の例では「３２」）の位置を越えた所にある。一方レンズマニュアルモードでは、設定されたＦ値に対応した位置よりも絞りの羽根が絞り込み側に変位しないように機械的なストッパが作用しており、この状態でレンズオートモードが設定されると、ストッパは最小絞りの位置に定められる。したがって、レンズマニュアルモードからレンズオートモードに切換えられた場合、絞り値は最小絞り値しかとることができず、電子プレビューでは、最小絞り値に相当するＦ値のみが設定される。
【００４８】
一方、ステップ５０２において、絞り環２２が現在「Ａ」の位置に定められておらず、レンズマニュアルモードが選択されていると判定されたとき、ステップ５０５が実行される。ステップ５０５では、ステップ５０３と同様にして、電子プレビューが実行される直前の露出モードがレンズオートモードであるか否かが判定される。
【００４９】
電子プレビューが起動される直前の露出モードがレンズマニュアルモードであるとき、すなわちレンズマニュアルモードが電子プレビューの起動の前後において維持されているとき、ステップ５０７が実行される。すなわち、現在のＦ値がＲＡＭ６５の作業領域に格納され、このルーチンは終了する。このようにレンズマニュアルモードが維持されているとき、図６のステップ３１６では、そのとき絞り環２２によって選択されている絞り値に対応したＦ値が表示される。
【００５０】
ステップ５０５において、電子プレビューが実行される直前の露出モードがレンズオートモードであると判定されたとき、ステップ５０６が実行され、現在選択されている絞り環２２の位置が電子プレビューの実行直前のＦ値よりも開放側であるか否かが判定される。現在の絞り環２２の位置が開放側であるとき、ステップ５０７が実行される。すなわち図６のステップ３１６では、そのとき絞り環２２によって選択されている絞り値に対応したＦ値が表示される。これに対し、現在の絞り環２２の位置が絞り込み側であるとき、ステップ５０７はスキップされて、このルーチンは終了する。すなわち図６のステップ３１６では、電子プレビューが起動される直前のＦ値が表示される。
【００５１】
レンズオートモードでは、そのときのＦ値に対応した位置において絞りが制御され、絞りの羽根が絞り込まれないように機械的なストッパが作用している。したがって、レンズオートモードからレンズマニュアルモードに切換えられた場合、絞り環２２により現在選択されている絞りの位置が電子プレビューの開始直前のＦ値よりも絞り込み側であるとき、図６のステップ３１６では、ステップ５０１においてＲＡＭ６５に格納されたＦ値が表示される。
【００５２】
ステップ５０６において、現在選択されている絞り環２２の位置が電子プレビューの実行直前のＦ値よりも開放側であると判定されたとき、ステップ５０７が実行される。したがって、図６のステップ３１６では、絞り環２２によって現在選択されている絞り値に対応したＦ値が表示される。
【００５３】
以上のように本実施形態によれば、電子プレビューの実行中に絞り環や露出モードが変更されても、実際のＦ値と表示のＦ値が一致するため、プレビュー中も正確なＦ値表示が可能となり、また被写体像の被写界深度とＦ値を同時に確認することができる。
【００５４】
なお本実施形態では、撮影制御データとしてＦ値のみを表示していたが、シャッタスピードも合わせて表示することもできる。
【００５５】
【発明の効果】
以上のように本発明によれば、電子プレビューの実行中であってもＦ値等の撮影制御データをファインダ内において確認することができる。
【図面の簡単な説明】
【図１】本発明の一実施形態であるファインダ内表示装置を備えた一眼レフカメラのカメラ本体の正面図である。
【図２】図１に示されるカメラ本体に取付け可能な交換レンズを示す平面図である。
【図３】カメラ本体内の電気的な構成を示すブロック図である。
【図４】このカメラの動作を制御するメインルーチンのフローチャートである。
【図５】電子プレビュー処理ルーチンのフローチャートである。
【図６】プレビューアップ保持処理ルーチンのフローチャートである。
【図７】ファインダ内に表示される内容の一例を示す図である。
【図８】プレビュー１回目処理ルーチンのフローチャートである。
【図９】Ｆ値セット処理ルーチンのフローチャートである。
【符号の説明】
１０  カメラ本体
１４  ファインダ
１７  プレビューボタン
２０  撮影レンズ
２２  絞り環
６３  プレビュースイッチ
【図１】
0004347924.tif 000002
【図２】
0004347924.tif 000003
【図３】
0004347924.tif 000004
【図４】
0004347924.tif 000005
【図５】
0004347924.tif 000006
【図６】
0004347924.tif 000007
【図７】
0004347924.tif 000008
【図８】
0004347924.tif 000009
【図９】
0004347924.tif 000010